(57)【要約】【課題】畔に水口を形成するためのパネルを易しくて簡便に設置するために埋込部材の下部に楔部を含んでおり、地盤に易しく埋め込むことができる水口用パネルを提供する。【解決手段】雨水または外部の隣接農地から水田に水が流入して一定の水位以上となるとき、水田から外部に水を排出させるために、既存の水口または新たに生成した水口に簡便に設置することができ、前記パネルには畔水口に埋め込まれて支持される埋込部材と、前記埋込部材の上部に結合され、ビニルを固定するクリップ部材とを含み、パネルの上部と水口をビニルで覆うことができるので、前記ビニル上部の水が水口を通じて流れる堆積物や土砂によって遮断されなくて自然に排出されるように、易しく設置可能であり、水口が易しく崩れ落ちないように水口の耐久性を向上させ、製品の使用便利性及び労動力節減効果まで確保することができる。【選択図】   図１
2015510058.tif 000002
【特許請求の範囲】
【請求項１】
畔の水口に埋め込まれて支持される埋込部材；及び
前記埋込部材の上部に結合されてビニルを固定するクリップ部材；を含むことを特徴とする、設置の簡便な水田の水口用パネル。
【請求項２】
前記埋込部材は、
楔部、
前記楔部の上部に連結される支持部、
ビニルで包まれる固定部、及び
前記支持部と固定部を連結し、前記固定部より幅が小さい首部を含み、
前記クリップ部材は前記固定部の外形に相応する内部形状及び弾性を持ち、前記固定部を包むビニルを弾性的に押圧しながら固定部に結合されることを特徴とする、請求項１に記載の設置の簡便な水田の水口用パネル。
【請求項３】
前記埋込部材は、中央を中心に左右方向に行くほど上端と下端との間の高さが小さくなる形状を持つことを特徴とする、請求項２に記載の設置の簡便な水田の水口用パネル。
【請求項４】
前記埋込部材は、
水口の底に配置される下端水平部、
畔に配置される上端水平部、及び
前記下端水平部と上端水平部を連結する連結部をさらに含むことを特徴とする、請求項１ないし請求項３のいずれか１項に記載の設置の簡便な水田の水口用パネル。
【発明の詳細な説明】
【技術分野】
【０００１】
本発明は設置の簡便な水田の水口用パネルに係る。
【０００２】
より詳しくは雨水または外部の隣接農地から水田に水が流入して一定の水位以上となるとき、水田から外部に水を排出させるために、既存の水口または新たに形成された水口に簡便に設置することができる水口用パネルに係る。
前記パネルには畔の水口に埋め込まれて支持される埋込部材と、前記埋込部材の上部に結合されるビニルを固定するクリップ部材とを含み、
パネルの上部と水口をビニルで覆うことができるので、前記ビニル上部の水が水口を通じて流れる堆積物や土砂によって遮断されずに自然に排出されるように、易しく設置可能であり、
水口が簡単に崩れ落ちないように水口の耐久性を向上させ、製品の使用便利性及び労動力節減効果まで確保することができる。
【背景技術】
【０００３】
一般に、稲作には十分量の水を必要とする。田植えの季節はもちろんのこと、一定量の水を供給しなければその年の稲作に困難を経験する。しかし、このように水の供給も重要であるが、夕立、梅雨、豪雨及び外部の農地の畔が崩れて流入する水により農作物が浸かるとか流失されると、稲幹が弱くなって病虫害に露出しやすい。
【０００４】
また、畔にただ排水のために水口を形成して長期間放置しておくと、流水が溢れる、水口を覆ったビニルが流れる等により、水口周辺の土が流失して水田水全量が流出する問題点がある。また、適量の水田水が継続して水口を通じて排出されれば、水口の通路に畔から流れる土砂または堆積物が積もることにより、水口を通じて排出される田水が段々減少する問題が発生する。
【０００５】
このような問題点を克服するために、多くの稲作をする農夫は、畔を、いつも管理しなければならないし、流失されればまた土を集めて畔を作らなければならないし、水が流出した水田に再び水を満たして入れる作業を行わなければならない。
【０００６】
前記のような問題点を克服するために、設置が易しく、流量の調節が可能で、水口が簡単に流失しないようにするパネル型水口が開示されている。本発明に関連した従来技術として、次のような技術が知られている。
【０００７】
大韓民国特許登録第１０−１０３６２５７号（登録日付：２０１１年０５月１６日）は“畔保護装置”に関するものである。この発明は、“コ“字形の保護カバー１と、前記保護カバー１の一側面に設置された多数の保護カバー通孔１２と、前記保護カバー通孔１２にボルト及びナット１１によって締結される高さ調節板５と、前記高さ調節板５の上部一側に設置された高さ調節板固定通孔１０と、前記高さ調節板固定通孔１０の下部に一定間隔で隔たって垂直に設置された多数の高さ調節板補強四角柱６と、前記保護カバー１の中間一側に溝が形成された水口２とからなり、前記水口２は、保護カバー１の中間一側の溝に設置される水口仕切り３と、前記水口仕切り３の一側面縁部に設置された水口仕切り２０と、前記水口仕切り２０に挿入される止水部が３０とを含んでなる畔保護装置に関するものである。
【０００８】
前記登録特許の発明によれば、半永久的であり、畔を頻繁に作業して形成する必要がなく、土砂の流出及び人手を減らし、水門型に構成されて田水を易しく調整することができるが、その設置が簡便ではないため、大部分の農夫が年寄であって使用が易しくなく、畔の延長、変更及び梅雨のような可変的な状況で破損するとか流失すれば再び設置し難い問題点がある。また、現場状況によって畔の幅が異なり、その幅によって製作しなければならない点のため、現実的に利用可能性が低い問題点が発生する。
【０００９】
また、大韓民国実用新案登録第２０−０１８５２３１号（登録日付：２０００年０３月３０日）は“人造水口”に関するもので、左右固定板を固定させ、固定段部が幅方向に設置され、水口の底面に設置された底板と、前記固定段部に対応する溝部を持ち、上固定板を固定させ、先端に畔保護板が畔幅方向に設置された左右固定板と、前記左右固定板に固定され、水位調節板ホルダーが上面に付け加えられた上固定板３０と、前記水位調節板ホルダー３１に固定され、使用時に前記溝部２３と固定段部１１に差し込まれる水位調節板５０とからなることを特徴とする人造水口であって、水口を人造物で調節し、このために固定板に水位調節板を提供して水位を調節するようにする。
【００１０】
しかし、前記登録考案は設置が難しくて現場で直接設置する使用者の農村環境を考慮しないため、使用便宜性が低くなる問題点がある。
【００１１】
また、大韓民国実用新案登録第２０−０３２０６０５号（登録日付：２００３年０７月０７日）は“畔用水口”に関するもので、水田の畔に設置され、貯水された水の水位を調節するようにした畔用水口において、中央に一定の幅に形成される水路部と、この水路部の左右両端から前記畔の形状と同一形状に延設された定着部と、前記水路部の中央に水路部の形状に沿って横切って形成されるスロットからなる胴体と；上端は前記胴体の水路部の上面と同一形状に形成され、その左右両側端には長手方向に係止溝が多数形成され、前記胴体のスロットから上下に出沒するように挿設される水位調節板と；前記胴体から下側に所定の長さで延設され、前記スロット内に前記水位調節板を収納する空間部と；その左右両側の所定位置に弾力的に出沒する一対の係止突起を備え、この係止突起が前記水位調節板の係止溝に対応して係合されることによって前記胴体に対する前記水位調節板の出沒長を調節するようにしたハウジングと；を含んでなることを特徴とする。
【００１２】
しかし、前記登録考案は、前記水位調節板を用いて水位を調節するとき、前記胴体の水路中央に形成されたスロットに異物が侵入しやすいため、前記水位調節板を持ち上げてから一定の時間が経った後、流量の増加のため、高さを低めようとすれば、前記スロットに土砂や堆積物が積もって前記水位調節板が下がることができない問題点があり、畔の形状と同一形状に延設された定着部を別に製作するため、製造コストが上昇し、前記登録考案の設置が易しくなくて一般の農家で年寄使用者の実使用に限界がある問題点がある。
【発明の概要】
【発明が解決しようとする課題】
【００１３】
前記のような問題点を解決するために、本発明の設置の簡便な水田の水口用パネルは、畔に水口を形成するためのパネルを易しく簡便に設置するために、埋込部材の下部に楔部を含んでいる。本発明は、このような地盤に易しく埋め込むことができる水口用パネルを提供することに目的がある。
【００１４】
また、本発明の水口用パネルは、埋込部材の上部に設けられ、ビニルで包まれる固定部と、支持部と固定部を連結し前記固定部より幅が小さい首部を含んでおり、前記固定部及び首部によってビニルを固定することができるクリップ部材の結合部位を確保することができるので、ビニルの結合が易しく、ビニルの離脱や流失がめったに生じないように維持することができる。本発明は、この水口用パネルを提供することに目的がある。
【００１５】
また、本発明の水口用パネルは、前記固定部の外形に相応する内部形状及び弾性を持ち、前記固定部を包んでいるビニルを弾性的に加圧して易しく簡便に固定することができるので、使用者の製品使用の便利性を高め、ビニルを、変形や破損がなく、易しく破れないで堅固に結合されることができる。本発明は、この水口型パネルを提供することに目的がある。
【００１６】
さらに、本発明の水口用パネルは、水田から排出される水の流量を調節することができるので、田水の適正水量を維持することができ、農作物の安全な物量の確保によって高品質の農作物を生産するために、埋込部材は、水口の底に配置される下端水平部、畔に配置される上端水平部、及び前記下端水平部と上端水平部を連結する連結部をさらに含む。本発明は、この水口型パネルを提供することに目的がある。
【課題を解決するための手段】
【００１７】
前記のような目的を達成するために、本発明の設置の簡便な水田の水口用パネルは、
畔の水口に埋め込まれて支持される埋込部材；及び
前記埋込部材の上部に結合されてビニルを固定するクリップ部材；を含むことを特徴とする。
【００１８】
前記埋込部材は、
楔部、
前記楔部の上部に連結される支持部、
ビニルで包まれる固定部、及び
前記支持部と固定部を連結し前記固定部より幅が小さい首部を含み、
前記クリップ部材は、前記固定部の外形に相応する内部形状及び弾性を持ち、前記固定部を包むビニルを弾性的に押圧しながら固定部に結合している。
【００１９】
また、本発明の水田の水口用パネルにおいて、前記埋込部材は、中央を中心に左右方向に行くほど上端と下端との間の高さが小さくなる形状を持っている。
【００２０】
前記埋込部材は、
水口の底に配置される下端水平部、
畔に配置される上端水平部、及び
前記下端水平部と上端水平部を連結する連結部をさらに含んでいる。
【発明の効果】
【００２１】
本発明による水田の水口用パネルは、
畔に水口を形成するためのパネルを易しくて簡便に設置するために畔の水口に埋め込まれて支持される埋込部材と、
前記埋込部材の下部に設けられる楔部と、
埋込部材の上部に形成されビニルで包まれる固定部と、
支持部と固定部を連結し前記固定部より幅が小さい狭い首部とを含み、
前記固定部及び首部により、ビニルを固定することができるクリップ部材の結合部位を確保することができ、クリップ部材は、固定部の外形に相応する内部形状及び弾性を持ち、前記固定部を包むビニルを弾性的に押圧して易しく簡便に固定することができるので、ビニルの結合が易しく、
水田から排出される水の流量を調節し、使用者が易しく設置して製品の使用便利性を高め、管理が易しくて維持及び保守に外部労動力をさらに投入しないので製品の効率性まで確保することができる。
【図面の簡単な説明】
【００２２】
【図１】本発明の設置の簡便な水田の水口用パネルの正面斜視図である。
【図２】本発明の設置の簡便な水田の水口用パネルにおいて埋込部材とクリップ部材の分離及び結合図である。
【図３】本発明の設置の簡便な水田の水口用パネルの実施例の正面斜視図［Ａ］及び側面斜視図［Ｂ］である。
【図４】本発明の設置の簡便な水田の水口用パネルの変形例を示す図である。
【発明を実施するための形態】
【００２３】
以下、添付図面に基づいて本発明を詳細に説明する。
【００２４】
本発明は多様な変更を加えることができ、いろいろの形態を持つことができる。これから、具現例（態様、ａｓｐｅｃｔ）または実施例を本文で詳細に説明する。しかし、これは本発明を特定の開示形態に限定しようとするものではなく、本発明は、本発明の思想及び技術範囲に含まれるすべての変更、均等物ないし代替物を含むものに理解しなければならない。
【００２５】
各図において、同一の参照符号、特に十の桁及び一の桁、または十の桁、一の桁及びアルファベットが同じな参照符号は、同一または類似の機能を持つ部材を示し、特に言及がない場合、図面の各参照符号が指称する部材はこのような基準に準ずる部材に把握すれば良い。
【００２６】
本明細書で使用した用語は、ただ特定の具現例（態様、ａｓｐｅｃｔ）または実施例を説明するために使用されたもので、本発明を限定しようとする意図ではない。単数の表現は、文脈上特に明記しない限り、複数の表現を含む。本出願において、“含む”または“なる”などの用語は明細書上に記載された特徴、数字、段階、動作、構成要素、部品またはこれらの組合せが存在することを指定しようとするものであり、一つまたはそれ以上の他の特徴、数字、段階、動作、構成要素、部品またはこれらの組合せの存在または付加の可能性を予め排除しないものに理解しなければならない。
【００２７】
特に定義がない限り、技術的ないし科学的な用語を含み、ここで使われるすべての用語は本発明が属する技術分野で通常の知識を持つ者によって一般的に理解されるものと同一の意味を持っている。一般的に使われる辞書に定義されているもののような用語は関連技術が文脈上持つ意味と一致する意味を持つものに解釈されなければならず、本出願において明らかに定義しない限り、理想的なあるいは過度に形式的な意味に解釈されない。
【００２８】
本明細書で説明する“ビニル”は廃ビニルから耐久性のすぐれた厚い強化ビニルまで通称するもので、一部のビニルのみを特定して指示するものではない。本発明による設置の簡便な水田の水口用パネルＳを説明するに当たり、便宜上厳密ではない大略の方向基準を図１に基づいて特定すれば、図示の状態で上下、左右、前後に分け、他の図に基づく発明の詳細な説明及び請求範囲においてもこの基準によって方向を特定して記述する。
【００２９】
一般に、農業に勤める農村人口の減少と高齢者の増加によって労動力不足を訴える社会現象が発生している。稲作において水口を形成ないし維持する労動力を効果的に節減するために、老若男女の誰でも易しく設置することができ、水口の維持及び管理が易しい水田の水口用パネルＳを開示する。
【００３０】
図１〜図３から確認することができるように、本発明による設置の簡便な水田の水口用パネルＳは、大別して、埋込部材１０及びクリップ部材２０からなる。
【００３１】
前記埋込部材１０は、楔部１１、支持部１２、固定部１３、及び首部１４を含んでなる。また、前記埋込部材１０はプラスチック材、木材、鋼鉄材などから製作され、全体側面形状が釘のような形状である。正面から見るとき、下部側が円弧形に形成され、中央を基準に最下端から左右側に行くほどに上部と下部との間の高さが小さくなる形状を取る。この際、最下端は後述する下端水平部１５の最下端を意味して、最上端は上端水平部１７の最上端を意味する。
【００３２】
前記埋込部材１０の楔部１１は下部が鋭利に形成され、地面上で使用者が前記埋込部材１０を押し下げると易しく地中に埋め込まれるように先端が鋭く形成されることが好ましい。また、前記楔部１１は、前記埋込部材１０の下部だけでなく左右辺にも形成されることが好ましい。
【００３３】
また、前記埋込部材１０の支持部１２は、前記楔部１１の上部に連結されてパネルＳの大部分をなし、畔Ａの上部側壁または下部側壁に埋め込まれて畔Ａを前記支持部１２によって支持するように構成される。前記支持部１２は、図１に示したように、縦辺が長くて相対的に幅が短い形態に構成されたパネルＳからなる。
【００３４】
また、前記固定部１３はビニルＰで包まれるように、側面から見るとき、円形または多角形に形成され、正面または平面から見るとき、前記支持部１２の上部に位置し、長く形成されたレール状に形成される。
【００３５】
前記パネルＳが地盤に埋め込まれれば、前記固定部１３が突出してビニルＰで包まれるように形成されることが好ましい。また、前記固定部１３は突起のような形態に突出して、ビニルＰを直接結合するとかゴム紐のようなその他の連結部材（図示せず）で連結するように形状を変更することができる。
【００３６】
前記固定部１３は、人が通り過ぎるとか使用者がパネルＳを畔Ａに設置するときにけがをしないで易しくビニルＰとクリップが結合できるように、外形が丸い断面円形に形成されることが好ましい。
【００３７】
また、前記埋込部材１０は、前記支持部１２と固定部１３との間に位置して両者を連結し前記固定部１３より幅が小さい首部１４を含む。前記首部１４は前記支持部１２の上部に位置し、支持部１２が埋め込まれれば、前記固定部１３とともに首部１４も突出して、ビニルＰが首部１４とともに固定部１３を易しく包むことができるように誘導する。前記首部１４は後述するクリップ部材２０とともにビニルＰを結合することができる有用な手段を提供する。
【００３８】
また、前記埋込部材１０は、全体として下端水平部１５、上端水平部１７、及び連結部１６をさらに含む。前記下端水平部１５は、水口の底に配置され、水田から排出される水が通過する通路を提供する。前記連結部１６は、畔Ａに配置される前記上端水平部１７と前記下端水平部１５との間に形成されて前記下端水平部１５と上端水平部１７を連結する。  前記上端水平部１７は、水口の底に配置されるが、排出される水量を調節するために、水口の底と一直線とならなくてもっと高いとかもっと低く配置されることができる。
【００３９】
また、前記連結部１６は下端水平部１５と上端水平部１７との間を連結する機能も果たすが、端水平部１５だけでなく連結部１６によってビニルＰが広がって土砂の流失を防止し、安定した流量の排出を維持することができる。さらに、前記上端水平部１７もビニルＰが広がって埋込部材１０の埋め込まれた周辺部をビニルＰで覆い、流量が集中する水口の周辺土壌が流失しないように保護することができる。
【００４０】
また、前記埋込部材１０は、水田の水位調節のために、パネルＳを持ち上げて排出流量を減少させ、パネルＳをもっと深く押し込んで排出流量を増加させるなど、手軽く流量を調節することができるので、使用の便宜性が高い。
【００４１】
また、パネルＳを倉庫に多数枚保管する場合にも、重ねて運搬及び保管することができ、狭い空間にも効率よく多くのパネルＳを保管することができる。
【００４２】
また、前記埋込部材１０の全体形状を中心に中央から左右両側に行くほど上端と下端との間の高さが小さくなる形状を持つので、使用者が小さな力でも易しく畔Ａの内部に押し込むように誘導することができ、前記上端水平部１７の両側を持って、いずれか一側から力を加えて押し込んでから他側にも力を加えて押し込む方法を繰り返し実施すれば、より易しく畔Ａに押し込むことができる。
【００４３】
また、前記埋込部材１０は、前記支持部１２に上下に長く形成されたパネル溝１８を含むことができる。前記パネル溝１８は断面が多角形に形成されることができるが、断面三角形が好ましい。前記パネル溝１８を備えることで、畔Ａに埋め込まれた埋込部材１０が地盤で土壌と接触する面積を増やすことにより、畔の側壁とともに崩れたり倒れたりしないように支えることができる支持力を確保することができる。埋め込まれたパネルＳは、畔Ａの側面及び周囲での土及び地表面を高めることにより、土圧（ｅａｒｔｈ ｐｒｅｓｓｕｒｅ）に効果的に耐えるように構成されることが好ましい。
【００４４】
本発明の一設置例において、前記埋込部材１０の埋込後、水口を作るために、畔Ａを崩すことで水口が形成されれば、前もって準備しておいたビニルＰを前記固定部１３の外形に合わせて包むとか折って結合することができるようにし、前記クリップ部材２０でビニルＰを前記固定部１３に結合する。その後、水田から水を排出するために、上側畔Ａの残りを除去することで、水田から排出される田水を確認することができる。
【００４５】
図４に変形例を示す。まず図４の［Ａ］及び［Ｂ］は、屈曲部がある畔Ａで使えるように設置された水田の水口用パネルＳを示す平面図である。前記埋込部材１０は、前記下端水平部１５、上端水平部１７及び連結部１６がそれぞれ回転可能に連結されることにより、曲がっている畔Ａまたは折り曲げられている畔Ａに対しても、畔Ａの形状に合わせて使用者が便利に回転させて角度を調節することができる。例えば、いずれか一側の畔Ａは厚く他側の畔Ａは薄く形成された畔Ａに対しても、それに合わせて集中的に上端水平部１７をさらに連結することにより、流量によって前記パネルＳが受ける圧力に効果的に耐えることができる。
【００４６】
また、前記埋込部材１０は、前記上端水平部１７、下端水平部１５及び連結部１６がそれぞれ射出成形で製作され、現場でも、図１に示したように製作されて埋め込まれる方法で上から下に力を加えて押し込む。
【００４７】
また、図４の［Ｃ］〜［Ｅ］に示したように、前記上端水平部１７、下端水平部１５及び連結部１６が結合された状態で回転可能となるように分離及び結合が可能であり、それぞれの結合された前記上端水平部１７、下端水平部１５及び連結部１６の回転が可能となるように回転手段１００をさらに含むことができる。
【００４８】
前記回転手段１００は、埋込部材１０の各構成要素（上端水平部１７、下端水平部１５及び連結部１６）の左右のいずれか一辺に第１結合部１１０が形成され、前記第１結合部１１０に対応する他辺に第２結合部１２０が形成される。
【００４９】
前記第１及び第２結合部１２０の間に位置して各結合部を連結するように、軸（柱）を挿入することができる挿入部１３０をさらに含んでいる。前記挿入部１３０は、弾性力を持つ弾性部材１３１（スプリング）、挿合突起１３２、支持棒１３３、支持孔１３４、及び係止突起１３５を含むことにより、前記埋込部材１０の構成要素間の回転が可能となる。
【００５０】
また、前記挿入部１３０の弾性部材１３１（スプリング）は、前記支持棒１３３の上部及び下部に形成された支持孔１３４に位置し、支持孔１３４内でそれ以上押し込まれないように支持孔１３４以外の支持棒１３３内部は詰まっている状態が好ましい。
【００５１】
また、前記支持孔１３４には、前記弾性部材１３１によって押し出される挿合突起１３２がそれ以上外部に離脱しないように係止突起１３５が形成され、前記係止突起１３５は支持孔１３４内で上下に移動する前記挿合突起上部１３２ａは通過することができるようにするが、前記挿合突起下部１３２ｂに係止されるように、内周面に形成された突部からなる。
【００５２】
また、前記挿合突起１３２は、下部が前記支持孔の内径と相応するように形成され、挿合突起上部１３２ａは係止突起１３５によって形成された前記支持孔１３４の最上端及び最下端の直径と相応するように形成されることにより、挿合突起下部１３２ｂは係止突起１３５にかかり、挿合突起上部は前記支持棒１３３から露出するように形成される。
【００５３】
一方、図２に示したように、前記クリップ部材２０は前記固定部１３の外形に相応するように内部形状が形成され、前記固定部１３の外形に結合されて締結可能である。この際、前記クリップ部材２０と前記固定部１３との間にはビニルＰが挟まれて堅固な結合が可能である。
【００５４】
前記クリップ部材２０は前記固定部１３に締結できるように弾性を持ち、前記固定部１３とビニルＰを一緒に弾性的に押圧するように結合される。前記クリップ部材２０は弾性力を持つプラスチック、合成纎維、鉄などの素材からなることができる。
【００５５】
また、前記固定部１３は前記埋込部材１０に連結されて一字形レールのような形状であり、前記クリップ部材２０は前記固定部１３の外形と相応する内部形状を持つが、同一長さである必要はなく、定の長さに切断されて一部に通孔が形成された管状に形成される。
【００５６】
前記クリップ部材２０は複数からなり、前記固定部１３にビニルＰが結合される面積に合うように構成され、ビニルＰが流速によって易しく外れるとか流失するとかしないようにぎっしりと配置するとかあるいはビニルＰの広さと使用者の便宜によって広く隔てて配置することが好ましい。
【００５７】
以上説明したものは本発明による設置の簡便な水田の水口用パネルＳを具現するための一実施例に過ぎないもので、本発明は前述した実施例に限定されず、以下の特許請求範囲で請求するような本発明の要旨を逸脱することなしに本発明が属する分野で通常の知識を持った者であれば誰でも多様な変更実施が可能な範囲まで本発明の技術的精神があると言える。
【符号の説明】
【００５８】
Ｓ：水田の水口用パネル
Ａ：畔
Ｐ：ビニル
１０：埋込部材
１１：楔部
１２：支持部
１３：固定部
１４：首部
１５：下端水平部
１６：連結部
１７：上端水平部
１８：パネル溝
２０：クリップ部材
１００：回転手段
１１０：第１結合部
１２０：第２結合部
１３０：挿入部
１３１：弾性部材
１３２：挿合突起
１３２ａ：挿合突起上部
１３２ｂ：挿合突起下部
１３３：支持棒
１３４：支持孔
１３５：係止突起
【図１】
2015510058.tif 000003
【図２】
2015510058.tif 000004
【図３】
2015510058.tif 000005
【図４】
2015510058.tif 000006
【国際調査報告】
2015510058.tif 000007
2015510058.tif 000008
2015510058.tif 000009
2015510058.tif 000010